(57)【要約】【課題】書き込み、確認が容易な表示手段を設けて保守性を向上せしめた横型トレイを有する光接続ユニットの提供を目的とする。【解決手段】光コネクタ２１を接続する複数の光アダプタ２２を配置した引き出し可能なトレイ２０を多段に積層、収納した光接続ユニットであって、前記光アダプタがトレイ前面側から光コネクタ接続用スペース２８を隔ててトレイ内に設けられ、該光コネクタ接続用スペースのトレイ内面側に透明または半透明の示名条片ケース２６が設けられ、かつ該示名条片ケース内に着脱可能に示名条片２５が挿入されたことを特徴とする光接続ユニット。【選択図】　図１
2004138641.tif 000002
【特許請求の範囲】
【請求項１】
光コネクタ（２１）を接続する複数の光アダプタ（２２）を配置した引き出し可能なトレイ（２０）を多段に積層、収納した光接続ユニットであって、
前記光アダプタがトレイ前面側から光コネクタ接続用スペース（２８）を隔ててトレイ内に設けられ、該光コネクタ接続用スペースのトレイ内面側に透明または半透明の示名条片ケース（２６）が設けられ、かつ該示名条片ケース内に着脱可能に示名条片（２５）が挿入されたことを特徴とする光接続ユニット。
【請求項２】
前記トレイが、複数の前記光アダプタを水平方向に並べた横型トレイである請求項１記載の光接続ユニット。
【請求項３】
前記示名条片ケースの左右両側に、前記示名条片を露出させる切欠が設けられ、示名条片ケース内の示名条片を左右いずれか一方から挿入および抜き取り可能な構成とした請求項１または２記載の光接続ユニット。
【発明の詳細な説明】
【０００１】
【発明の属する技術分野】
本発明は、光配線盤や光接続箱等の光接続ユニットに関し、特に保守性を向上せしめた引き出し式のトレイを有する光接続ユニットに関する。
【０００２】
【従来の技術】
従来、光コネクタ、融着接続部、多心単心分岐部、接続余長等を複数のトレイに整理してコンパクトに収納する光配線盤が知られている（例えば、特許文献１参照。）。
図６は、従来例の光配線盤を示す正面図である。図６中符号１は函体であり、複数本の光ケーブル２が上部あるいは下部から引き込まれている。これら光ケーブル２としては、伝送装置と接続されたものと、外線光ケーブル側のものとがある。これら光ケーブル２は前記函体１の側板１０に沿って配設し、函体１下部の分岐部４ａにてケーブルクランプ４ｂやテンションメンバクランプ４ｃによって固定し、口出して光ファイバ心線３ａを引き出している。これら光ファイバ心線３ａは函体１下部の融着部トレイ収納部Ｔ１に引き込み、該融着部トレイ収納部Ｔ１内に設けられたスライドユニット１２内に多段に積層・収納された引き出し式の融着部トレイ６、６．．．へ振り分けて収納している。各融着部トレイ６、６．．．では、前記光ファイバ心線３ａと分岐接続用のファンアウトコード３ｂの分岐されていない一端とを図示しない融着接続補強部を介して接続している。
【０００３】
前記ファンアウトコード３ｂは前記融着部トレイ収納部Ｔ１の上側に設置したセンタートレイ９を介して上側に引き出し、さらに該ファンアウトコード３ｂの分岐された他端は前記センタートレイ９の上側に設置した分岐接続トレイ収納部Ｔ２内に多段に積層された引き出し式の各分岐接続トレイ８，８．．．内に図中左側から導入し、右側から分岐接続トレイ８に導入されたジャンパコードｊ（光コード）と図示しない光コネクタを介して切替接続可能に接続している。前記分岐接続トレイ８，８．．．は、函体１の背面板１１から突設されたガイド棒１５にガイドされて前後方向（図６紙面奥行き方向）に引き出し／収納可能になっている。ジャンパコードｊは、二つの分岐接続トレイ８，８間に配線され、分岐接続トレイ８内にてファンアウトコード３ｂの分岐された他端と接続することで、目的の光線路同士を接続する。ジャンパコードｊの余長は、分岐接続トレイ収納部Ｔ２内のトレイ８内に収納されるか、あるいは函体１側面の支持具４（コードクランプ）を利用して、下方へ垂らした部分を上方へ折り返すようにして湾曲配線して吸収される。ジャンパコードｊの両端を、それぞれ分岐接続トレイ８内にて、ファンアウトコード３ｂとを接続すると、伝送装置側と外線光ケーブル側の光線路同士がジャンパコードｊを介して接続される。また、分岐接続トレイ８内では、函体１の上部および下部に配置された渡配線収納トレイ９ａ，９ｂから函体１内に導入された渡配線３ｄ（光コード）と、ファンアウトコード３ｂとを接続する場合もある。
【０００４】
【特許文献１】
特開平８−２４８２３５号公報
【０００５】
【発明が解決しようとする課題】
前記従来の光配線盤等において、引き出し式のトレイに接続される光コネクタの素性（接続元または接続先の光ファイバの線番、使用者名など）を明示するための表示手段を設ける場合、例えば次のような方法が用いられていた。
▲１▼トレイの前面に細長いカードケースを取り付ける。
▲２▼トレイ内部の蓋に細長いシールを貼り付ける。
▲３▼光配線盤の扉等にカードケースを保管する。
【０００６】
しかしながら、前記▲１▼、▲２▼の如くトレイの前面にカードケースを設けたり、トレイ内面にシールを貼り付ける場合、個々の光コネクタに対応した記入スペースが小さいため、人の手で書き込むのが困難であり、かつ見にくかった。
また前記▲３▼の如く、トレイの内部に該表示手段を保管せず、トレイ外部に表示手段を取り付ける場合には、その表示がどのトレイに相当するのかを選別するのが難しい問題がある。
【０００７】
本発明は前記事情に鑑みてなされたもので、書き込み、確認が容易な示名条片を設けて保守性を向上せしめた引き出し式のトレイを有する光接続ユニットの提供を目的とする。
【０００８】
【課題を解決するための手段】
前記目的を達成するために、本発明は、光コネクタを接続する複数の光アダプタを配置した引き出し可能なトレイを多段に積層、収納した光接続ユニットであって、前記光アダプタがトレイ前面側から光コネクタ接続用スペースを隔ててトレイ内に設けられ、該光コネクタ接続用スペースのトレイ内面側に透明または半透明の示名条片ケースが設けられ、かつ該示名条片ケース内に着脱可能に示名条片が挿入されたことを特徴とする光接続ユニットを提供する。
本発明の光接続ユニットにおいて、前記トレイは、複数の前記光アダプタを水平方向に並べた横型トレイが好ましい。
また、前記示名条片ケースの左右両側に、前記示名条片を露出させる切欠が設けられ、示名条片ケース内の示名条片を左右いずれか一方から挿入および抜き取り可能な構成としてもよい。
【０００９】
【発明の実施の形態】
以下、図面を参照して本発明の一実施形態を説明する。
図１〜５は、本発明の光接続ユニットの一実施形態として、光接続ユニットの横型トレイの部分を示す図であり、図１（ａ）はトレイの平面図、（ｂ）は要部側面図、図２はトレイ要部（示名条片部）の平面図、図３は示名条片の抜き取り操作開始状態のトレイ要部の平面図、図４は示名条片の抜き取り状態のトレイ要部の平面図、図５は図４の状態のトレイの正面図である。これらの図中符号２０は横型トレイ（以下、トレイと記す）である。
【００１０】
このトレイ２０は、光配線盤のトレイ収納部内に引き出し可能に多段に積層、収納されている。このトレイ２０は、光アダプタ２２がトレイ前面側（図１（ａ）のトレイ２０の右端側）から光コネクタ接続用スペース２８を隔ててトレイ２０内に設けられ、光コネクタ接続用スペース２８のトレイ内面側に透明または半透明の示名条片ケース２６が設けられ、かつ示名条片ケース２６内に示名条片２５が着脱可能に挿入された構成になっている。
なお、本発明において用語「光アダプタ」は、光コネクタプラグ同士を中継し、内部にて両光コネクタプラグが位置決め接続される光接続機器を総称するものとする。
【００１１】
このトレイ２０は、各種の光配線盤、例えば図６に示すような光配線盤や光接続箱に用いることができ、トレイ２０にはその用途に応じて光ファイバ２３ａ〜２３ｃ、光アダプタ２２、光コネクタ２１、光カプラ、光スプリッタ、光接続部、余長収納ケース、光モジュール収納ケースなどの各種の部材等が収納される。
図１に示す例示では、トレイ２０の前面側から光コネクタ接続用スペース２８を隔てて多数の（図１の例示では２段１２列）光アダプタ２２が連設され、各光アダプタ２２には光ファイバ２３ｃに成端された光コネクタ２１が接続されている。また光アダプタ２２の配設位置より引き出し方向後方側（図１（ａ）のトレイの左部分）には、光モジュール、光ファイバ接続部、光ファイバ余長部などのいずれかを収納するための収納ケース２４が設けられている。
【００１２】
ここで用いられる光コネクタ２１としては、例えば、ＪＩＳ　Ｃ　５９７３に制定されるＳＣ形光コネクタ（Ｓｉｎｇｌｅ　ｆｉｂｅｒ　Ｃｏｕｐｌｉｎｇ　ｏｐｔｉｃａｌ　ｆｉｂｅｒ　ｃｏｎｎｅｃｔｏｒ）、ＳＣ２形光コネクタ、ＪＩＳ　Ｃ　５９８３に制定されるＭＵ形光コネクタ（Ｍｉｎｉａｔｕｒｅ−Ｕｎｉｔ　ｃｏｕｐｌｉｍｇ　ｏｐｔｉｃａｌ　ｆｉｂｅｒ　ｃｏｎｎｅｃｔｏｒ）、ＪＩＳ　Ｃ　５９８１等に制定されるいわゆるＭＴ形光コネクタ（Ｍｅｃａｎｉｃａｌｌｙ　Ｔｒａｎｓｆｅｒａｂｌｅ）等が採用される。また光アダプタ２２（光コネクタアダプタ）は、使用する光コネクタ２１を接続可能なものが採用される。
【００１３】
またトレイ２０の引き出し構造は特に限定されず、例えば光配線盤や光接続箱のトレイ収納部に多段に突出形成されたレールにトレイ２０を移動可能に係合した構造などを採用し得る。図１（ｂ）に示すように多段に収納されたトレイ２０は、それぞれ個別に引き出し可能に取り付けられ、目的のトレイ２０のみを引き出し可能になっている。トレイ２０の引き出し方向への移動距離は、例えば作業者がトレイ２０の収納ケース２４を点検するのに十分な距離とされる。
【００１４】
図２〜図５は、このトレイ２０に設けられた示名条片２５および示名条片ケース２６の部分を示している。なお、これらの図は光アダプタ２２から光コネクタ２１を全て取り外した状態を示している。
光コネクタ２１を光アダプタ２２に接続した場合には、示名条片ケース２６の上方にそれぞれの光コネクタ２１およびそれに接続された光ファイバ２３ｃが、好ましくは該ケースに接触することなく取り付けられるようになっている。従って、光コネクタ２１を光アダプタ２２に接続した状態であっても、示名条片２５を示名条片ケースから抜き出し、または挿入する操作によって光ファイバ２３ｃに外力が加わることがない。
【００１５】
示名条片２５は、この光配線盤のトレイ２０の保守のために必要な事項、例えば、対応する光アダプタ２２に光コネクタ２１を介して接続する光ファイバ２３ｃの素性（接続元または接続先の光ファイバの番号、使用者名など）、回線番号、接続または点検した日時、担当者コードなどの一つまたは複数項目を、全ての光アダプタ２２毎又は光アダプタ２２の対毎又はグループ毎に記入するためのものである。この示名条片２５は、紙（厚紙）、合成樹脂シート、不織布、合成樹脂シートと紙とのラミネート材などのペン等で筆記または印刷可能な材料からなるシートである。この示名条片２５の上面には、記載すべき前記事項を記載するための記入欄が印刷されていることが好ましい。
【００１６】
前記示名条片ケース２６は、光コネクタ接続用スペース２８のトレイ内面側に設けられ、該内面上に挿入される前記示名条片２５を覆う大きさを有している。この示名条片ケース２６は、透明または半透明の合成樹脂、例えばポリエチレンテレフタレート（ＰＥＴ）系樹脂、ポリカーボネート系樹脂、アクリル系樹脂などで形成されている。この示名条片ケースの左右両側には、挿入した示名条片２５を露出させ、指等で示名条片２５をスライドさせて引き出すための切欠２７が設けられている。
【００１７】
次に、図２〜５に基づいて、示名条片２５の使用状態を説明する。図２に示すように、示名条片ケース２６に挿入された示名条片２５は、光コネクタ接続用スペース２８のトレイ内面側に位置しており、その近傍には光アダプタ２２が連設されている。新たに光コネクタ２１を接続する場合或いは光コネクタ２２の切替や交換を行う場合、示名条片２５を示名条片ケース２６から引き出し、個々の光アダプタ２２に接続される光コネクタ２１の素性を表す線番等を示名条片２５の対応位置に記入する。
【００１８】
示名条片ケース２６は薄型であり、トレイ２０の内面側に密接形成してあるので、光アダプタ２２に光コネクタ２１を接続しても、示名条片ケース２６上面に光コネクタ２１およびそれに接続された光ファイバ２３ｃが接触することがなく、あるいは一部接触しても、示名条片２５の挿入または抜き出し動作により、光ファイバ２３ｃに余分な力が加わることがない。
【００１９】
示名条片ケース２６から示名条片２５を抜き出す場合には、図３に示すように、示名条片ケース２６の切欠２７に指を入れ、示名条片２５の抜き出し方向（図３において左側）に向けて示名条片２５をスライドさせる。なお、示名条片２５が簡単に抜け落ちないように、示名条片ケース２６に挿入後、示名条片２５を適当にロックする機構を設けることが望ましい。
【００２０】
示名条片ケース２６から示名条片２５の一部を突出させた後、図４および図５に示したように、示名条片２５を手で持ってケースから抜き出す。この時、突出した示名条片２５は、下方へ湾曲させながらスライドさせることが望ましい。
必要事項を記入後、示名条片２５を示名条片ケース２６に挿入、保管する。
【００２１】
このトレイ２０は、トレイ内部に示名条片２５を保管することにより、トレイ２０と示名条片とが一対一対応となり、トレイとその表示とを取り違えるミスを無くすことができる。
また光コネクタ接続用スペース２８のトレイ内面側に示名条片２５を設けることで、示名条片２５を人の手で書き込むのに十分な大きさとすることができ、書き込みが容易となり、かつ記載事項が見やすくなる。
またトレイ内面側に設けた示名条片ケース２６内に示名条片２５を挿入する構成としたので、光ファイバ２３ｃと干渉せずに示名条片２５を収納できる。
【００２２】
なお、前記の実施形態は本発明の単なる例示に過ぎず、種々の変更が可能である。例えば、トレイ２０としては、横型の引き出し式トレイに限定されることなく、引き出しタイプのトレイ全般に適用が可能である。
またトレイ２０に収納する光部品は本例示に限定されず、光配線盤等において従来公知の光部品、例えば光コネクタ、融着接続部、多心単心分岐部、接続余長等を適宜収納してトレイを構成できる。
【００２３】
【発明の効果】
本発明の光接続ユニットは、トレイ内部に示名条片を保管した引き出し式トレイを備えているので、トレイと示名条片とが一対一対応となり、トレイとその表示とを取り違えるミスを無くすことができる。
また光コネクタ接続用スペースのトレイ内面側に示名条片を設けることで、示名条片を人の手で書き込むために十分な大きさとすることができ、書き込みが容易となり、かつ記載事項が見やすくなる。
またトレイ内面側に設けた示名条片ケース内に示名条片を挿入する構成としたので、光ファイバと干渉せずに示名条片を収納できる。
【図面の簡単な説明】
【図１】本発明の光接続ユニットに用いられるトレイの一実施形態を示し、（ａ）はトレイの平面図、（ｂ）はトレイ要部の側面図である。
【図２】同じトレイの要部平面図である。
【図３】同じトレイの示名条片抜き出し開始状態を示す要部平面図である。
【図４】同じトレイの示名条片抜き出し状態を示す要部平面図である。
【図５】同じトレイの示名条片抜き出し状態を示す正面図である。
【図６】従来の光配線盤を例示する正面図である。
【符号の説明】
２０…トレイ、２１…光コネクタ、２２…光アダプタ、２３ａ〜２３ｃ…光ファイバ、２４…収納ケース、２５…示名条片、２６…示名条片ケース、２７…切欠、２８…光コネクタ接続用スペース。
【図１】
2004138641.tif 000003
【図２】
2004138641.tif 000004
【図３】
2004138641.tif 000005
【図４】
2004138641.tif 000006
【図５】
2004138641.tif 000007
【図６】
2004138641.tif 000008